【手続補正書】
【提出日】平成21年4月10日(2009.4.10)
【手続補正１】
【補正対象書類名】特許請求の範囲
【補正対象項目名】全文
【補正方法】変更
【補正の内容】
【特許請求の範囲】
【請求項１】
第１、第２及び第３の入力信号を有する三原色入力信号を、多原色付加ディスプレイの四原色を駆動するための第１、第２、第３及び第４の駆動信号を有する四原色駆動信号へと変換する方法であって、
前記第１、第２及び第３の駆動信号を前記第４の駆動信号の関数として表現する３つの関数を定義するステップであって、前記３つ関数のそれぞれが、前記三原色入力信号と、前記第１、第２及び第３の駆動信号に関連する原色と前記第４の駆動信号に関連する原色との間の依存性を定義する係数と、により定義されるステップと、
前記３つの関数の相互の交点、及び前記３つの関数と自身に等しい前記第４の駆動信号により定義される線との交点から成る交点のセットにおける前記第４の駆動信号の交点値を決定するステップであって、反対の符号の一次導関数を持つ関数の交点値のみが対象とされるステップと、
全ての前記駆動信号が実装において利用可能な正当な値を持つ前記第４の駆動信号の値の正当範囲の境界値を決定するステップと、
前記交点値及び前記境界値における前記第１、第２及び第３の駆動信号の算出された値を決定するステップと、
前記交点値のそれぞれ及び前記境界値のそれぞれにおいて、前記算出された値の最大値又は最小値を選択するステップと、
前記最大値又は最小値がそれぞれ最小又は最大となる前記交点値又は前記境界値を選択するステップと、
を有する方法。
【請求項２】
前記３つの関数は、
【数１】
2008537179.tif 000001
により決定される３つの線であり、ここでＰ１乃至Ｐ４はそれぞれ第１、第２、第３及び第４の駆動信号であり、Ｐ１'、Ｐ２'及びＰ３'は前記第１、第２及び第３の入力信号により定義され、係数ｋ１乃至ｋ３は前記第１、第２及び第３の駆動信号に関連する三原色と前記第４の駆動信号に関連する他の原色との間の依存性を定義する、請求項１に記載の方法。
【請求項３】
自身に等しい前記第４の駆動信号は、
Ｐ４＝Ｐ４'＋ｋ４＊Ｐ４
により定義され、ここでＰ４'＝０及びｋ４＝１であり、関連する係数ｋ１乃至ｋ４が異なる符号を持つ線の所定の対について、前記交点値が
Ｐ４ｉ＝（Ｐｊ−Ｐｍ）／（ｋｍ−ｋｊ）
であり、ここでＰｊは前記線の対のうち第１の線に関連するＰ１'、 Ｐ２'、 Ｐ３'及びＰ４'のうちの１つであり、
Ｐｍは前記線の対のうち第２の線に関連するＰ１'、 Ｐ２'、 Ｐ３'及びＰ４'のうちの１つであり、
ｋｊは前記第１の線に関連するｋ１、ｋ２、ｋ３及びｋ４のうちの１つであり、
ｋｍは前記第２の線に関連するｋ１、ｋ２、ｋ３及びｋ４のうちの１つである、請求項２に記載の方法。
【請求項４】
前記第４の駆動値の前記正当範囲の外の交点が、前記交点に最も近い前記境界値の１つへとクリッピングされ、クリッピングされた第４の交点値が得られ、前記クリッピングされた第４の交点値は、前記正当範囲の外の前記交点値に関連する前記算出された値を決定する際に利用される、請求項１に記載の方法。
【請求項５】
前記駆動信号の全てが正当な値を持つ前記第４の駆動信号の前記正当範囲は、
前記第１、第２及び第３の駆動信号について、前記第１、第２及び第３の駆動信号が正当な値を持つ前記第４の駆動信号のそれぞれの範囲を決定するステップと、
前記第１、第２及び第３の駆動信号のそれぞれ１つが正当な値を持つ前記第４の駆動信号の共通範囲として前記正当範囲を決定するステップと、
を実行することにより決定される、請求項１に記載の方法。
【請求項６】
前記第４の駆動信号の共通範囲が実現可能でない場合に、前記入力信号をクリッピングするステップを更に有する、請求項５に記載の方法。
【請求項７】
第１、第２及び第３の入力信号を有する三原色入力信号を、多原色付加ディスプレイの四原色を駆動するための第１、第２、第３及び第４の駆動信号を有する四原色駆動信号へと変換するシステムであって、
前記第１、第２及び第３の駆動信号を前記第４の駆動信号の関数として表現する３つの関数を定義する手段であって、前記３つ関数のそれぞれが、前記三原色入力信号と、前記第１、第２及び第３の駆動信号に関連する原色と前記第４の駆動信号に関連する原色との間の依存性を定義する係数と、により定義される手段と、
前記３つの関数の相互の交点、及び前記３つの関数と自身に等しい前記第４の駆動信号により定義される線との交点から成る交点のセットにおける前記第４の駆動信号の交点値を決定する手段であって、反対の符号の一次導関数を持つ関数の交点値のみが対象とされる手段と、
全ての前記駆動信号が実装において利用可能な正当な値を持つ前記第４の駆動信号の値の正当範囲の境界値を決定する手段と、
前記交点値及び前記境界値における前記第１、第２及び第３の駆動信号の算出された値を決定する手段と、
前記交点値のそれぞれ及び前記境界値のそれぞれにおいて、前記算出された値の最大値又は最小値を選択する手段と、
前記最大値又は最小値がそれぞれ最小又は最大となる前記交点値又は前記境界値を選択する手段と、
を有するシステム。
【請求項８】
請求項７に記載のシステムと、表示されるべき画像を表す入力信号を受信し前記第１、第２及び第３の入力信号を前記システムに供給するための信号プロセッサと、表示装置であって前記表示装置のサブ画素に対する前記第１、第２、第３及び第４の駆動信号を受信するための表示装置と、を有する表示機器。
【請求項９】
前記表示機器は、前記サブ画素を照射するための光源ユニットであって前記光源ユニットにより生成される光の強度を変調するための変調信号を受信するための入力部を持つ光源ユニットを更に有し、前記最大値又は最小値を選択する手段は最大値を選択するように構成され、前記交点値を選択する手段は前記選択された最大値の最小値を選択するように構成され、前記表示機器は更に、前記第１、第２、第３及び第４の駆動信号を受信して、前記第１、第２、第３及び第４の駆動信号のうち最も大きな振幅を持つ１つが許容可能な最大の振幅以下の振幅を持つ場合に、前記光の強度を減少させ、それに従って前記第１、第２、第３及び第４の駆動信号の振幅を増大させるための変調信号を供給するための制御ユニットを有する、請求項８に記載の表示機器。
【請求項１０】
前記表示装置はガンマ機能部を持ち、前記最大値又は最小値を選択する手段は最小値を選択するように構成され、前記交点値を選択する手段は前記選択された最小値の最大値を選択するように構成された、請求項８に記載の表示機器。
【請求項１１】
前記表示装置はガンマ機能部を持ち、前記最大値又は最小値を選択する手段は最大値を選択するように構成され、前記交点値を選択する手段は前記選択された最大値の最小値を選択するように構成された、請求項８又は１０に記載の表示機器。
【請求項１２】
プロセッサが請求項１に記載の方法を実行することを可能とするためのプロセッサ読み取り可能なコードを有するコンピュータプログラムであって、前記プロセッサ読み取り可能なコードは、
前記第１、第２及び第３の駆動信号を前記第４の駆動信号の関数として表現する３つの関数を定義するコードであって、前記３つ関数のそれぞれが、前記三原色入力信号と、前記第１、第２及び第３の駆動信号に関連する原色と前記第４の駆動信号に関連する原色との間の依存性を定義する係数と、により定義されるコードと、
前記３つの関数の相互の交点、及び前記３つの関数と自身に等しい前記第４の駆動信号により定義される線との交点から成る交点のセットにおける前記第４の駆動信号の交点値を決定するコードであって、反対の符号の一次導関数を持つ関数の交点値のみが対象とされるコードと、
全ての前記駆動信号が実装において利用可能な正当な値を持つ前記第４の駆動信号の値の正当範囲の境界値を決定するコードと、
前記交点値及び前記境界値における前記第１、第２及び第３の駆動信号の算出された値を決定するコードと、
前記交点値のそれぞれ及び前記境界値のそれぞれにおいて、前記算出された値の最大値又は最小値を選択するコードと、
前記最大値又は最小値がそれぞれ最小又は最大となる前記交点値又は前記境界値を選択するコードと、
を有するコンピュータプログラム。
【請求項１３】
前記コンピュータプログラムは、画像処理アプリケーションにおけるソフトウェアプラグインである、請求項１２に記載のコンピュータプログラム。
【請求項１４】
請求項７に記載のシステムと、前記第１、第２及び第３の入力信号を供給するための画像センサとを有するカメラ。
【請求項１５】
請求項１４に記載のカメラを有する携帯型装置。